(57)【要約】      （修正有）【課題】軽量コンパクト化されて収納に便利になるとともに、結合構造の安定性が高まり、多様な使用感を有する珪藻土ジョイントマットを提供する。【解決手段】珪藻土ジョイントマット１は、第一マット１０と第二マット２０により構成され、第一マットが第一接合エッジ１６を有し、第二マットが第一接合エッジにはめ込む第二接合エッジ２６を有し、第一マットと第二マットが異なる硬度を有する。第一マットと第二マットが吸水性材料を含み、吸水性材料が珪藻土、陶土、粘土、砂、綿、ゼラチン、シルト、スラグ、樹脂、ナイロン、ポリアクリル酸ナトリウム、またはその組合せである。【選択図】図１
0003232242.tif 000002
【実用新案登録請求の範囲】
【請求項１】
第一接合エッジを有する第一マット、および当該第一接合エッジにはめ込む第二接合エッジを有する第二マットによって構成され、
当該第一接合エッジと当該第二接合エッジが少なくとも硬質層を含むこと
を特徴とする珪藻土ジョイントマット。
【請求項２】
当該の第一マットおよび／または第二マットが第一主体および詰め物を有し、当該第一主体が当該詰め物を押し込む打ち抜き部を有していること
を特徴とする請求項1に記載の珪藻土ジョイントマット。
【請求項３】
当該打ち抜き部が当該第一主体を貫通していること
を特徴とする請求項2に記載の珪藻土ジョイントマット。
【請求項４】
当該詰め物と当該打ち抜き部が形状的に補完すること
を特徴とする請求項3に任意付加的に記載の珪藻土ジョイントマット。
【請求項５】
当該第一主体と当該詰め物が異なる硬度を有すること
を特徴とする請求項4に任意付加的に記載の珪藻土ジョイントマット。
【請求項６】
第一マットが硬質層で、当該の第一マットと第二マットが異なる硬度を有すること
を特徴とする請求項1に任意付加的に記載の珪藻土ジョイントマット。
【請求項７】
当該第一マットが複数を相互に接続できる第一積層構造を有し、当該第一積層構造が少なくとも第一硬質層を有し、そのほかの層は第一軟質層を成し、当該第一軟質層の硬度が当該第一硬質層の硬度よりも低いこと
を特徴とする請求項1に記載の珪藻土ジョイントマット。
【請求項８】
当該第二マットが複数を相互に接続できる第二積層構造を有し、当該第二積層構造が少なくとも第二硬質層を有し、そのほかの層は第二軟質層を成し、当該第二軟質層の硬度が当該第二硬質層の硬度よりも低く、当該第一マットの硬度よりも低いこと
を特徴とする請求項6または7に記載の珪藻土ジョイントマット。
【請求項９】
少なくとも一部の当該第一マットが少なくとも一部の当該第二マットと噛み合わされること
を特徴とする請求項8に記載の珪藻土ジョイントマット。
【請求項１０】
当該第一マットと当該第二マットが少なくとも吸水性材料を含み、当該吸水性材料が珪藻土、陶土、粘土、砂、綿、ゼラチン、スラグ、樹脂、ナイロン、ポリアクリル酸ナトリウムのうち、一種または数種であること
を特徴とする請求項1−9に記載の珪藻土ジョイントマット。
【考案の詳細な説明】
【技術分野】
【０００１】
本考案はジョイントマットの技術分野、具体的には珪藻土ジョイントマットに関するものである。
【背景技術】
【０００２】
従来の技術において、ジョイントマットは通常、発泡材で製造され、水分吸収の能力を持たず、しかもマットはユニットごとに材質が同じで、多様な使用感を提供できない。また、発泡材のマットは材質が柔らかく、かなりの厚みをもって仕上げないと全体を安定的に接合できず、それゆえにマットがかさばり、収納が容易ではない。収納に便利なようにマットの厚みを減らすと、マットの接合構造が不安定化し、使用中に変形または脱落しやすくなるので、構造安定性と収納の便利さを兼備するジョイントマットというのが、業界で解決が待たれる課題となっている。
【考案の概要】
【考案が解決しようとする課題】
【０００３】
上述の従来の技術的欠点を克服するため、本考案は、軽量コンパクト、収納に便利で、かつ接合が構造的に安定しており、さらには吸水機能を有し、かつ多様な使用感を提供できる珪藻土ジョイントマットを提供する。
【課題を解決するための手段】
【０００４】
本考案実施例が提供する珪藻土ジョイントマットは、第一マットと第二マットにより構成されており、当該第一マットは第一接合エッジを含み、当該第二マットは当該第一接合エッジにはめ込む第二接合エッジを有しており、そのうち当該第一マットと当該第二マットは異なる硬度を有し、ユーザーに多様な使用感を提供する。
【０００５】
望ましくは、本考案の珪藻土ジョイントマットは第一マットと第二マットから構成されており、当該第一マットは硬質層かつ第一接合エッジを含み、当該第二マットは当該第一接合エッジにはめ込む第二接合エッジを有し、当該第二マットは複数を相互に接合できる第二積層構造を有しており、当該第二積層構造は少なくとも第二硬質層を有し、そのほかの層は第二軟質層を成しており、当該第二軟質層の硬度は、第二硬質層の硬度よりも低く、かつ当該第一マットの硬度よりも低く、当該第二硬質層が少なくとも部分的に当該第一マットと噛み合わされる。
【０００６】
上述の設計を通して、当該珪藻土ジョイントマットは軽量コンパクトで収納に便利なのみならず、接合構造の安定性が高く、ユーザーに対してより多様な使用感を提供できる。
【０００７】
望ましくは、当該第一マットと当該第二マットは、少なくともいずれかが吸水性の材料を含み、当該吸水性材料は珪藻土、陶土、粘土、砂、綿、ゼラチン、シルト、スラグ、樹脂、ナイロン、ポリアクリル酸ナトリウム、またはその組合せであり、これによって当該珪藻土ジョイントマットに吸水機能が備わる。
【０００８】
望ましくは、本考案の珪藻土ジョイントマットは第一マットと第二マットから構成されており、当該第一マットは第一接合エッジおよび複数を相互に接合できる第一積層構造を有し、当該第一積層構造は少なくとも第一硬質層を有し、そのほかの層は第一軟質層を成し、当該第一軟質層の硬度は、第一硬質層の硬度よりも低くなっており、当該第二マットは当該第一接合エッジにはめ込む第二接合エッジを有し、当該第二マットは複数を相互に接合できる第二積層構造を有しており、当該第二積層構造は少なくとも第二硬質層を有し、そのほかの層は第二軟質層を成し、当該第二軟質層の硬度は、当該第一硬質層の硬度と第二硬質層の硬度よりも低く、少なくとも一部の当該第二硬質層が少なくとも一部の当該第一マットと噛み合わされる。これによって、当該珪藻土ジョイントマットは軽量コンパクトで収納に便利なのみならず、接合構造の安定性が高く、ユーザーに対してより多様な使用感を提供できる。
【考案の効果】
【０００９】
本考案の効果としては、少なくとも以下を含む。
1、本考案は構造設計がフレキシブルで、力学的性能と安定した構造が保証された状況下において、第一マットと第二マットが使用環境によって単層構造または多層構造を選ぶことができ、構造的な改良により珪藻土ジョイントマットが軽量コンパクトで収納に便利なのみならず、接合構造の安定性が高く、ユーザーに対してより多様な使用感を提供できる。
2、本考案において設計された珪藻土ジョイントマットは、マット製造の材料を選択してから、珪藻土への混合剤として吸水性材料を加えた後のかしょうもしくは窯焼等の加熱工程を経て、またはゴムやプラスチックを改質して吸水性を持たせることで、珪藻土の優良な理化学的性質のおかげもあり、吸水性材料の添加に係わって材料応用性が高くなる。
【００１０】
上述における本考案の目的、特徴とメリットを明確化するための実施例を、図面を添えて以下に掲げて詳細説明する。
【００１１】
本考案における実施形態の技術的な面をより明確に説明するため、実施形態中に用いる図面について以下、簡単に説明し、理解の深化に供するが、以下の図面は本考案の実施例の一部にすぎず、範囲を限定するものとみなされてはならない。本分野における一般技術者が創造的な役務を労しない前提のもとに、これらの図面に基づいて他の図面を得ることも可能である。
【図面の簡単な説明】
【００１２】
【図１】図1は本考案における望ましい実施例1の珪藻土ジョイントマットの平面図である。
【図２】図2は図1を2−2の方向に切った断面図である。
【図３】図3は本考案における望ましい実施例2の珪藻土ジョイントマットの断面図である。
【図４】図4は本考案における望ましい実施例3の珪藻土ジョイントマットの断面図である。
【図５】図5は本考案における望ましい実施例4の珪藻土ジョイントマットの断面図である。
【図６】図6は本考案における望ましい実施例5の珪藻土ジョイントマットの断面図である。
【図７】図7は本考案における望ましい実施例6の珪藻土ジョイントマットの断面図である。
【図８】図8は本考案における望ましい実施例7の珪藻土ジョイントマットの構造を示す図である。
【図９】図9は図8を2−2の方向に切った断面図である。
【考案を実施するための形態】
【００１３】
以下、本考案実施例の図面を添えて本考案の技術的な面について明確かつ全般的に叙述するが、叙述される実施例は本考案の実施例の一部にすぎず、実施例の全部でないのは明白である。通常、ここにおいて図面中で叙述および提示される本考案実施例の構成要素は、異なる配置でレイアウトおよび設計することが可能である。したがって、以下で図面中で提供される本考案実施例の詳細な叙述は、本考案における保護請求範囲を制限することを旨としておらず、本考案における選択された実施例を示すのみである。本考案の実施例に基づき、本分野における技術者が創造的な役務を労しない前提のもとに得ることができる他のすべての実施例は、いずれも本考案の保護請求範囲内とする。
【００１４】
本考案の技術的内容、実現できる目的および効果を詳細に説明するため、以下、図面を添えて実施形態の明細を述べる。支障をきたさない状況下に置いて、以下の実施例および実施例中の特徴は相互に組合せ可能である。
【００１５】
実施例１
図1-2に示すごとく、本実施例が提供する珪藻土ジョイントマット1は、当該珪藻土ジョイントマットが多数の第一マット10と多数の第二マット20により構成されており、相互に接合して必要なサイズの珪藻土ジョイントマット1に組み合わせるが、説明の便宜上、図面では当該第一マット10および当該第二マット20のみが描出されている。
【００１６】
当該第一マット10は第一主体12、および当該第一主体12の外周縁に位置する第一接合エッジ16を含み、当該第一主体12は方形の板状であり、当該第一接合エッジ16はギザギザの構造である。当該第一主体12と第一接合エッジ16の形状は、ニーズの変化に従って図面上に無制限に描出可能である。
【００１７】
当該第二マット20は第二主体22、および当該第二主体22の外周縁に位置する第二接合エッジ26を含み、当該第二主体22は方形の板状であり、当該第二接合エッジ26はギザギザの構造、かつ当該第一接合エッジ16にはめ込み接合できる。当該第二主体22と第二接合エッジ26の形状は、ニーズの変化に従って図面上に無制限に描出可能である。
【００１８】
ユーザーに多様な使用感および吸水機能を提供するため、当該第一マット10と当該第二マット20は異なる材料で製造できる。たとえば、当該第一マット10は、珪藻土への混合剤として吸水性材料を加えた後のかしょうもしくは窯焼等の加熱工程を経て製造でき、または硬いプラスチックもしくはゴム（例：天然ゴム（NR）、ポリ塩化ビニル（PVC）、スチレン・ブタジエンゴム（SBR）、エチレン／エチレン酢酸ビニル共重合（EVA）、プラスチックおよびゴムの複合材、アクリロニトリル・ブタジエン・スチレン共重合体（ABS）、スチレン・ブタジエン・スチレンブロック共重合体（SBS）、ポリカーボネート（PC）、ブタジエンゴム（BR）等、もしくはその組合せ）に吸水性材料を混合して製造でき、また木製ボード、レンガ、石膏ボード、コンクリート板もしくはケイ酸カルシウム等を粉砕後に吸水性材料を混合してもよく、当該吸水性材料としては、珪藻土、陶土、粘土、砂、綿、ゼラチン、スラグ、樹脂、ナイロン、ポリアクリル酸ナトリウム等、もしくはその組合せがあり、当該吸水性材料の吸水率は5 wt%-95 wt%とする。当該第二マット20は弾性材質（例：天然ゴム（NR））または発泡材質に吸水性材料（5 wt%-95 wt%）を混合して製造してもよく、当該発泡材質とは、スチレン・ブタジエンゴム（SBR）、アクリロニトリル・ブタジエン・スチレン共重合体（ABS）、スチレン・ブタジエン・スチレンブロック共重合体（SBS）、ポリカーボネート（PC）、ブタジエンゴム（BR）、ポリ塩化ビニル（PVC）、エチレン／エチレン酢酸ビニル共重合（EVA）等、またはその組合せである。
【００１９】
かかる組合せの例としては、第一マット10は、珪藻土への混合剤として吸水性材料を加えた後のかしょうもしくは窯焼等の加熱工程を経て製造でき、当該吸水性材料は陶土と粘土を用い、成形後の第一マット10の成分構成比は、珪藻土：陶土：粘土＝80%：10%：10% とし、第二マット20は天然ゴムとナイロン、ポリアクリル酸ナトリウムの混合により調製し、成形後の第二マット20の成分構成比は、天然ゴム：ナイロン：ポリアクリル酸ナトリウム＝80%：10%：10% とする。
【００２０】
また、かかる組合せの例としては、第一マット10は、ポリ塩化ビニル（PVC）、ポリカーボネート（PC）の混合により調製し、当該の吸収性材料は珪藻土、綿、スラグを用い、成形後の第一マット10の成分構成比は、ポリ塩化ビニル（PVC）：ポリカーボネート（PC）：珪藻土：綿：スラグ＝35%：15%：25%：10%：15% とし、第二マット20は、アクリロニトリル・ブタジエン・スチレン共重合体（ABS）、スチレン・ブタジエン・スチレンブロック共重合体（SBS）と珪藻土、綿を混合して調製し、成形後の第二マット20の成分構成比は、アクリロニトリル・ブタジエン・スチレン共重合体（ABS）：スチレン・ブタジエン・スチレンブロック共重合体（SBS）：珪藻土：綿＝60%：10%：15%：15% とする。本明細書では、その他の組合せによるコンパウンド方式についてこれ以上立ち入らないが、組合せの形式に係わるものは、いずれも本技術がカバーする範囲内とする。
【００２１】
上述の設計を通して、当該第一マット10は当該第二マット20に較べて高い硬度を有する。その他の実施例においては、当該第一マット10は当該第二マット20に較べて低い硬度、または同硬度を有してもよい。詳細には、本明細書中の硬度は、ショア硬度、押し込み硬度、モース硬度、スクラッチ硬度が考えられる。
【００２２】
ユーザーに多様な使用感を使用感するため、当該第一マット10は構造上、様々なデザインを施すことができ、たとえば第一主体12に複数の打ち抜き部13を施すことができ、一部の当該打ち抜き部13aは第一主体12の表面に座ぐりされ、一部の当該打ち抜き部13bは第一主体12を貫通しており、当該第一マット10は複数の詰め物14が当該打ち抜き部13の中に埋め込まれ、かつ当該詰め物14が呼応する打ち抜き部13の形状を補完して（その他の実施例では補完していなくてもよい）、当該詰め物14の表面が当該第一主体12の表面とフラットになり、当該打ち抜き部13bにおける当該詰め物14の底面が当該第一主体12の底面とフラットになる。当該詰め物14の一部は、当該第一マット10とは異なる材料で製作して異なる硬度を持たせることで、材質と形状の変化がある設計により、ユーザーに多様な使用感を提供できる。その他の実施例としては、当該詰め物14は、当該第一マット10と同じ材料で製作してもよい。
【００２３】
実施例2
図3は本考案における望ましい実施例2が提供する珪藻土ジョイントマット30であり、実施例1と類似しており、同様にして複数の第一マット32と複数の第二マット34から構成されている。異なる点は、第一マット32が硬質または硬質材料に吸水性材料を混合して製作されているのは実施例1の当該第一マット10と同じだが、当該第二マット34が相互連接された二層の第二積層構造36を有し、当該第二積層構造36は下方にある第二硬質層37、および上方にある第二軟質層38によって構成され、当該第二軟質層38の硬度は当該第二硬質層37の硬度よりも低く、かつ当該第一マット32の硬度よりも低く、当該第二軟質層38は軟質の材料に吸水性材料を混合して製作されており、実施例1と同様に、当該第二マット20は、硬い第二硬質層37と第一マット32の噛み合わせなので、当該第一マット32と当該第二マット34のジョイント構造の安定さが確保され、力を受けても脱落、変形しにくく、構造的にマット材質が柔らかいため分厚い設計となる欠点を改善している。上述の設計により、当該珪藻土ジョイントマット30は、ユーザーに多様な使用感と吸水機能を提供できるのみならず、構造的な安定さが確保されるという前提のもとに、マットがより軽量コンパクトになって、収納または持ち運びに便利となっている。その他の実施例としては、当該第二マット34は三層以上の第二積層構造36を持たせてもよく、当該第二積層構造36が少なくとも一つの第二硬質層37を含み、かつ当該第二硬質層37が当該第一マット32と連接されていれば、当該第一マット32と当該第二マット34のジョイント構造の安定性を確保でき、ひいては本考案の目的を達成できる。
【００２４】
実施例3
図4は本考案における望ましい実施例3が提供する珪藻土ジョイントマット40であり、実施例1と類似しており、同様にして複数の第一マット42と複数の第二マット46から構成されている。異なる点は、当該第一マット42が相互連接された二層の第一積層構造43を有し、当該第一積層構造43は上方にある第一硬質層44、および下方にある第一軟質層45によって構成され、当該第一軟質層45の硬度は当該第一硬質層44の硬度よりも低くなっているとともに、当該第二マット46が相互連接された二層の第二積層構造47を有し、当該第二積層構造47は上方にある第二硬質層48、および下方にある第二軟質層49によって構成され、当該第二軟質層49の硬度は当該第一硬質層44および当該第二硬質層48の硬度よりも低くなっており、硬い当該第二硬質層48と当該第一硬質層44の噛み合わせなので、当該第一マット42と当該第二マット46のジョイント構造の安定さが確保され、脱落、変形しにくく、かつ、当該第一マット42と当該第二マット46の厚みは現有の構造に較べて軽量コンパクトになる。その他の実施例としては、当該第一硬質層44と当該第一軟質層45の位置は上下を入れ換えてもよく、同時に第二硬質層48と第二軟質層49の位置も上下を入れ換えてもよく、こうすることでユーザーは軟質の表面にじかに触れるとともに、構造中において軟質マットのジョイント構造の不安定という欠点を回避できる。
【００２５】
実施例4
図5は本考案における望ましい実施例4が提供する珪藻土ジョイントマット50であり、実施例3と類似しており、同様にして複数の第一マット52と複数の第二マット56から構成されている。異なる点は、当該第一マット52が下方にある第一硬質層53、および上方にある第一軟質層54によって構成され、当該第二マット56は二層の第二硬質層57によって構成されており、当該第一軟質層54の硬度は当該第一硬質層53の硬度および当該第二硬質層57の硬度よりも低く、当該第一硬質層53と、下方の当該第二硬質層57の噛み合わせにより、当該第一マット52と当該第二マット56が安定的に結合され、かつ、上方の当該第一軟質層54と当該第二硬質層57がユーザーに多様な使用感を提供できる。
【００２６】
実施例5
図6は本考案における望ましい実施例5が提供する珪藻土ジョイントマット60であり、実施例3と類似しており、同様にして複数の第一マット62と複数の第二マット66から構成されている。異なる点は、当該第一マット62は相互に連接する第一積層構造63によって構成され、当該第一積層構造63は、中間の第一硬質層64およびその上下二層の第一軟質層65によって構成されており、当該第二マット66は相互に連接する第二積層構造67によって構成され、当該第二積層構造67は、中間の第二硬質層68およびその上下二層の第二軟質層69によって構成されている。当該第一硬質層64および当該第二硬質層68の噛み合わせにより、当該第一マット62と当該第二マット66が安定的に結合され、同時に当該第一軟質層65と当該第二軟質層69を用いてユーザーに快適な触感を提供できる。その他の実施例としては、当該第一積層構造63が中間の第一軟質層およびその上下二層の第一硬質層によって構成され、当該第二積層構造67が中間の第二軟質層およびその上下二層の第二硬軟質層によって構成してもよく、当該の二層の第一硬質層と当該の二層の第二硬質層の噛み合わせにより、当該第一マット62と当該第二マット66を安定的に結合させることができる。
【００２７】
実施例6
図7は本考案における望ましい実施例6が提供する珪藻土ジョイントマット70であり、実施例3と類似しており、同様にして複数の第一マット72と複数の第二マット76から構成されている。異なる点は、当該第一マット72は中間の第一硬質層73およびその上下二層の第一軟質層74によって構成され、当該第二マット76は下方にある第二硬質層77、および上方にある第二軟質層78によって構成されており、当該第一硬質層73と当該第二硬質層77の上部を噛み合わせることで、当該第一マット72と当該第二マット76が安定的に結合される。その他の実施例としては、当該第二マット76における当該第二硬質層77と当該第二軟質層78の位置を上下入れ換えてもよい。
【００２８】
実施例7
図8、9は本考案における望ましい実施例7が提供する珪藻土ジョイントマット80であり、実施例1と類似しており、同様にして複数の第一マット81と複数の第二マット84から構成され、当該第一マット81は第一主体82、および第一主体82の外周縁である第一接合エッジ83により構成され、当該第二マット84は第二主体85、および第二主体85の外周縁である第二接合エッジ86により構成されている。異なる点は、当該第一接合エッジ83と第二接合エッジ86がいずれも硬質層87であり、当該第二接合エッジ86と当該第一接合エッジ83が相互にはめ込まれて珪藻土ジョイントマット80を形成する。その他の実施例としては、当該第一接合エッジ83と第二接合エッジ86のうち、少なくともいずれか硬質層87であれば、当該第一マット81と当該第二マット84が安定的に結合される。
【００２９】
本出願において提供されるいくつかの実施例のうち、開示された仕組みは、その他の方式で実現可能であることが理解されるはずである。以上は本考案の具体的方法を叙述したのみであり、本考案の保護範囲がかくのごとく制限されてはならず、本技術分野に精通した技術者が本考案で開示された技術の範囲内で、容易に思いつく変化または置き換えは、いずれも本考案の保護請求範囲内とする。したがって、本考案の保護範囲は、登録請求の範囲において述べた範囲に準じるものとする。
【符号の説明】
【００３０】
1、珪藻土ジョイントマット
10、第一マット
12、第一主体
13、13a、13b、打ち抜き部
14、詰め物
16、第一接合エッジ
20、第二マット
22、第二主体
26、第二接合エッジ
30、珪藻土ジョイントマット
32、第一マット
34、第二マット
36、第二積層構造
37、第二硬質層
38、第二軟質層
40、珪藻土ジョイントマット
42、第一マット
43、第一積層構造
44、第一硬質層
45、第一軟質層
46、第二マット
47、第二積層構造
48、第二硬質層
49、第二軟質層
50、珪藻土ジョイントマット
52、第一マット
53、第一硬質層
54、第一軟質層
56、第二マット
57、第二硬質層
60、珪藻土ジョイントマット
62、第一マット
63、第一積層構造
64、第一硬質層
65、第一軟質層
66、第二マット
67、第二積層構造
68、第二硬質層
69、第二軟質層
70、珪藻土ジョイントマット
72、第一マット
73、第一硬質層
74、第一軟質層
76、第二マット
77、第二硬質層
78、第二軟質層
80、珪藻土ジョイントマット
81、第一マット
82、第一主体
83、第一接合エッジ
84、第二マット
85、第二主体
86、第二接合エッジ
87、硬質層
【図１】
0003232242.tif 000003
【図２】
0003232242.tif 000004
【図３】
0003232242.tif 000005
【図４】
0003232242.tif 000006
【図５】
0003232242.tif 000007
【図６】
0003232242.tif 000008
【図７】
0003232242.tif 000009
【図８】
0003232242.tif 000010
【図９】
0003232242.tif 000011